(57)【要約】【課題】  移動することを前提として、前もって移動先のＥＰＧを受信できるようにする。【解決手段】  主制御部１１は、入力装置２０から入力された地域のデータ、期間のデータ、および放送番組の番組案内情報の要求指令をネットワークから送信し、当該地域および期間における番組案内情報をネットワークから受信して、受信した番組案内情報を表示部７に表示する。【選択図】  図１
2006345127.tif 000002
【特許請求の範囲】
【請求項１】
操作手段から入力される指令およびデータを入力する入力手段と、
前記入力手段から入力された地域のデータ、期間のデータ、および放送番組の番組案内情報の要求指令をネットワークから送信し、当該地域および期間における番組案内情報を前記ネットワークから受信する通信手段と、
前記通信手段によって受信された番組案内情報を表示手段に表示する表示制御手段と、
を備えた番組情報受信装置。
【請求項２】
前記表示制御手段は、前記入力手段の入力に係る地域および期間における番組案内情報と現在位置における番組案内情報とを前記表示手段に表示することを特徴とする請求項１に記載の番組情報受信装置。
【請求項３】
前記表示制御手段は、地域および期間における番組案内情報と現在位置における番組案内情報とを一定時間ごとに切り換えて前記表示手段に交互に表示することを特徴とする請求項２に記載の番組情報受信装置。
【請求項４】
前記表示制御手段は、前記入力手段から地域および日時のスケジュールデータが入力された場合には、当該スケジュールデータとともに当該スケジュールデータにリンクする番組案内情報を前記表示手段に同時に表示することを特徴とする請求項１に記載の番組情報受信装置。
【請求項５】
操作手段から入力される指令およびデータを入力するステップＡと、
前記ステップＡによって入力された地域のデータ、期間のデータ、および放送番組の番組案内情報の要求指令をネットワークから送信し、当該地域および期間における番組案内情報を前記ネットワークから受信するステップＢと、
前記ステップＢによって受信された番組案内情報を表示手段に表示するステップＣと、
をコンピュータに実行させる番組情報受信装置のプログラム。
【請求項６】
前記ステップＣは、前記ステップＡの入力に係る地域および期間における番組案内情報と現在位置における番組案内情報とを前記表示手段に表示することを特徴とする請求項５に記載の番組情報受信装置のプログラム。
【請求項７】
前記ステップＣは、地域および期間における番組案内情報と現在位置における番組案内情報とを一定時間ごとに切り換えて前記表示手段に交互に表示することを特徴とする請求項６に記載の番組情報受信装置のプログラム。
【請求項８】
前記ステップＣは、前記ステップＡから地域および日時のスケジュールデータが入力された場合には、当該スケジュールデータとともに当該スケジュールデータにリンクする番組案内情報を前記表示手段に同時に表示することを特徴とする請求項５に記載の番組情報受信装置のプログラム。
【発明の詳細な説明】
【技術分野】
【０００１】
本発明は、番組情報受信装置およびそのプログラムに関し、特に、ＥＰＧ（Electronic Program Guide ：番組案内情報）を受信する番組情報受信装置およびそのプログラムに関するものである。
【背景技術】
【０００２】
現在、放送衛星および通信衛星を介してＢＳデジタル放送およびＣＳデジタル放送が行われているが、２００３年１２月から一部の地域で放送が行われている地上波デジタル放送は、２０１１年には現在放送されているアナログ放送は全国的にデジタル放送に切り換えられることになっている。この地上波デジタル放送は、６ＭＨｚの帯域を１３セグメントに分割して放送する。さらに、１３セグメントの中の１セグメントによって携帯電話装置などの移動体に対する放送も予定されている。
ＢＳデジタル放送およびＣＳデジタル放送と同様に、この地上波デジタル放送においても、放送の内容を案内するＥＰＧを文字放送として提供する。ユーザは受信したＥＰＧを画面に表示することによって、各テレビ局の放送予定を把握できる。
ＥＰＧは一定時間ごとに送信されるので、移動端末においていつでもＥＰＧを受信するために、ネットワークを介して常時ＥＰＧを提供するサービスが提案されている。
【０００３】
ある提案においては、移動先であってもどのような番組が放送されるかを知ることができる放送受信システムを提供する。この放送受信システムでは、放送局ごとのＥＰＧを記憶するＥＰＧデータベースと、放送局ごとのサービスエリアを記憶するサービスエリアデータベースとをサーバに設ける。受信端末は、位置情報、受信可能な放送種別を示す情報をサーバに送信する。位置情報は、ＧＰＳ（全地球測位システム）受信機によって取得する。サーバは、これらの情報から受信端末で受信可能な放送局を調べ、それらの放送局の番組表をＥＰＧデータベースから抽出して番組リストを作成し、受信端末に送信する。受信端末では、送られてきた番組表を表示装置に表示し、ユーザにより選択された番組を受信するように、放送受信装置を制御する。（特許文献１参照）
また、他の提案においては、移動受信であっても、移動先の放送局の選局情報を容易に入手するＥＰＧ情報配信システムを提供する。このＥＰＧ情報配信システムでは、ＥＰＧサーバは、移動端末から送られてくるＥＰＧ情報の送信要求を受信し、同時に送られてくる位置情報から、移動端末の位置する受信エリアを判定し、そのエリアの受信可能局を受信可能局テーブルから検索して、その受信可能局の放送予定に基づいて生成したＥＰＧを移動端末に送信する。移動端末は、ＧＰＳ受信機能によって取得した緯度・経度、または郵便番号若しくは市外局電話番号の入力に応じて、位置情報をサーバに送信する。（特許文献２参照）
【特許文献１】特開２００２−１０１４０５号公報
【特許文献１】特開２００３−１５８７３０号公報
【発明の開示】
【発明が解決しようとする課題】
【０００４】
上記特許文献１および特許文献２においては、携帯電話装置やその他の移動端末の現在位置に応じて、その位置で受信可能な番組のＥＰＧを配信しているが、移動する予定の地域における放送予定を前もって知りたい場合もある。例えば、東京から明日仙台に移動する予定がある場合に、ユーザが視聴したい番組が仙台で放送されるかどうかを前もって把握し、放送されない場合には、録画予約を行うことが考えられる。しかしながら、上記特許文献１および特許文献２を含め、従来の技術においては、現在位置において受信可能な番組のＥＰＧだけしか取得できないので、移動することを前提として、前もってその移動先のＥＰＧを受信することができないという課題があった。
本発明は、このような従来の課題を解決するためのものであり、移動することを前提として、前もって移動先のＥＰＧを受信できるようにすることを目的とする。
【課題を解決するための手段】
【０００５】
請求項１に記載の番組情報受信装置は、操作手段（実施形態においては、図１の入力装置２０に相当する）から入力される指令およびデータを入力する入力手段（実施形態においては、図１の入力制御部１７に相当する）と、入力手段から入力された地域のデータ、期間のデータ、および放送番組の番組案内情報の要求指令をネットワークから送信し、当該地域および期間における番組案内情報を前記ネットワークから受信する通信手段（実施形態においては、図１のネットワークＩ／Ｆ１９に相当する）と、通信手段によって受信された番組案内情報を表示手段（実施形態においては、図１の表示部７に相当する）に表示する表示制御手段（実施形態においては、図１の主制御部１１に相当する）と、を備えた構成になっている。
【０００６】
請求項１の番組情報受信装置において、請求項２に記載したように、表示制御手段は、入力手段の入力に係る地域および期間における番組案内情報と現在位置における番組案内情報とを表示手段に表示するような構成にしてもよい。
【０００７】
請求項２の番組情報受信装置において、請求項３に記載したように、表示制御手段は、地域および期間における番組案内情報と現在位置における番組案内情報とを一定時間ごとに切り換えて表示手段に交互に表示するような構成にしてもよい。
【０００８】
請求項１の番組情報受信装置において、請求項４に記載したように、表示制御手段は、入力手段から地域および日時のスケジュールデータが入力された場合には、当該スケジュールデータとともに当該スケジュールデータにリンクする番組案内情報を表示手段に同時に表示するような構成にしてもよい。
【０００９】
請求項５に記載の番組情報受信装置のプログラムは、操作手段（実施形態においては、図１の入力装置２０に相当する）から入力される指令およびデータを入力するステップＡと、ステップＡによって入力された地域のデータ、期間のデータ、および放送番組の番組案内情報の要求指令をネットワークから送信し、当該地域および期間における番組案内情報をネットワークから受信するステップＢと、ステップＢによって受信された番組案内情報を表示手段（実施形態においては、図１の表示部７に相当する）に表示するステップＣと、をコンピュータ（実施形態においては、図１の主制御部１１に相当する）に実行させる構成になっている。
【００１０】
請求項５の番組情報受信装置のプログラムにおいて、請求項６に記載したように、ステップＣは、ステップＡの入力に係る地域および期間における番組案内情報と現在位置における番組案内情報とを表示手段に表示するような構成にしてもよい。
【００１１】
請求項６の番組情報受信装置のプログラムにおいて、請求項７に記載したように、ステップＣは、地域および期間における番組案内情報と現在位置における番組案内情報とを一定時間ごとに切り換えて表示手段に交互に表示するような構成にしてもよい。
【００１２】
請求項５の番組情報受信装置のプログラムにおいて、請求項８に記載したように、ステップＣは、ステップＡから地域および日時のスケジュールデータが入力された場合には、当該スケジュールデータとともに当該スケジュールデータにリンクする番組案内情報を表示手段に同時に表示するような構成にしてもよい。
【発明の効果】
【００１３】
本発明の番組情報受信装置およびそのプログラムによれば、移動することを前提として、前もって移動先のＥＰＧを受信することができるという効果が得られる。
【発明を実施するための最良の形態】
【００１４】
以下、本発明による番組情報受信装置の実施形態について、地上波デジタル放送を受信する可搬型のテレビ受信装置を例にとって、図１ないし図７を参照して説明する。
図１は、実施形態におけるテレビ受信装置のブロック図である。このテレビ受信装置は、地上波デジタル放送を受信する受信ブロック、および制御ブロックで構成されている。まず、受信ブロックの構成を説明する。チューナ部１は、アンテナから受信する各放送局の電波からチャンネル選択指令に応じて１つの放送局の搬送波を選択し、その搬送波から高周波の受信信号を抽出して出力する。復調部２は、チューナ部１から出力された受信信号を復調して、各コンテンツのＰＥＳ（Packetized Elementary Stream）すなわちパケット化された圧縮符号化データである映像ＰＥＳ、音声ＰＥＳ、字幕ＰＥＳ、およびデータＥＳを担うＴＳ（Transport Stream：トランスポート・ストリーム）を出力する。ＴＳデコーダ部３は、鍵パケットの抽出や制御ブロックからの暗合鍵データによってデスクランブル動作を行って、ＴＳをデマルチプレクサ（分離）し、映像ＰＥＳ、音声ＰＥＳ、字幕ＰＥＳ、およびデータＰＥＳの各コンテンツを分離して出力する。
【００１５】
映像デコーダ部４は、ＴＳデコーダ部３から出力された映像ＰＥＳを復号化して映像信号を出力する。音声デコーダ部５は、ＴＳデコーダ部３から出力された音声ＰＥＳを復号化して音声信号を出力する。表示制御部６は、映像デコーダ部４から出力された映像信号をビットマップの画像に展開して表示部７の画面に表示する。音声制御部８は、音声デコーダ部５から出力された音声信号をデジタルからアナログに変換して音声入出力装置９のスピーカから発音させる。なお、字幕ＰＥＳおよびデータＰＥＳについては、制御ブロックに送られて処理される。ＳＴＣ（System Time Clock）部１０は、各コンテンツおよび制御ブロックとの間で同期をとるためのクロック信号を発生する。
【００１６】
次に、制御ブロックの構成について説明する。主制御部１１のシステムバスには、受信ブロックのＴＳデコーダ部３、ＳＴＣ部１０などが接続されているとともに、制御ブロック内のプログラム記憶部１２、ＷＯＲＫ用ＲＡＭ１３、データ記憶部１４、外部入出力Ｉ／Ｆ（インタフェース）１５、リモコン受信部１６、入力制御部１７、ＩＣカードＩ／Ｆ１８、およびネットワークＩ／Ｆ１９が接続されている。主制御部１１は、システムバスを介してこれら各部との間でデータおよび指令の授受を行って、このテレビ受信装置全体を制御する。
【００１７】
プログラム記憶部１２は、ＰＳＩ（Program Specific Information ：番組特定情報）／ＳＩ（Service Information サービス情報）解析プログラム、ＥＰＧプログラム、ネットワーク制御プログラム、スケジューラプログラム、地域情報データベース、およびその他のプログラムを記憶している。ＷＯＲＫ用ＲＡＭ１３は、主制御部１１によって処理される各種データを一時的に記憶する。データ記憶部１４は、ＰＳＩより取得した番組情報データ、ネットワークから取得した番組情報データ、ユーザ登録のスケジュールデータ、およびその他のデータを記憶する。外部入出力Ｉ／Ｆ１５は、パソコン等の外部機器との間でデータを送受信する。リモコン受信部１６は、リモコン（図示せず）からの赤外線信号を受信して主制御部１１に入力する。入力制御部１７は、スイッチなどの入力装置２０から入力されるデータや指令を主制御部１１に中継する。ＩＣカードＩ／Ｆ１８は、ＴＳデコーダ部３がデスクランブル動作を行う際の暗合鍵データを記憶している。ネットワークＩ／Ｆ１９は、インターネット等のネットワークを介して番組情報提供サーバ（図示せず）に接続し、番組情報データを受信してデータ記憶部１４に記憶する。
【００１８】
次に、実施形態におけるスケジュールデータの登録処理について説明する。なお、この実施形態においては、ユーザがスケジュールデータを登録する際に、郵便番号や地名等によってスケジュールの場所情報を入力することができる。図２は、主制御部１１のスケジュールデータの登録制御処理のフローチャートである。まず、ユーザから入力されたスケジュールの登録データを記憶するために保存先を検索する（ステップＳ１０１）。そして、入力されたスケジュールデータに場所データが入力されているか否かを判別する（ステップＳ１０２）。場所データが入力されている場合には、テレビ受信装置に記憶されている地域情報データベースを検索して、入力された場所データに対応する地域情報にマッチングする放送領域を特定する（ステップＳ１０３）。なお、地域情報データベースは必ずしもテレビ受信装置に持つ必要はない。ネットワーク側（サーバ側）で持つようにしてもよい。
【００１９】
次に、ネットワークＩ／Ｆ１９を介してネットワーク接続処理を行って、ネットワークから放送番組データを取得する準備を行う（ステップＳ１０４）。そして、接続が正常に完了した（ＯＫ）か否かを判別し（ステップＳ１０５）、正常に完了したときは、番組情報提供サーバに番組情報取得要求を送信して、指定地域の指定時間の番組情報を取得する処理を行う（ステップＳ１０６）。取得が完了したときは、ネットワークの切断処理を行う（ステップＳ１０７）。次に、取得した番組情報とリンクさせて、ＥＰＧプログラムによって読み出しが可能な状態でスケジュールデータの登録処理を行う（ステップＳ１０８）。他方、ステップＳ１０２において、スケジュールデータに場所データが入力されていない場合には、ステップＳ１０８においてスケジュールデータだけを登録する。ステップＳ１０８においてスケジュールデータを登録した後は、そのスケジュールデータに番組情報があるか否かを判別し（ステップＳ１０９）、番組情報がある場合には、番組情報の記憶処理を行う（ステップＳ１１０）。ステップＳ１０５において、接続が正常に完了しない場合には、遅延発呼予約の設定を行って（ステップＳ１１１）、ステップＳ１０８においてスケジュールデータだけを登録する。遅延発呼予約の設定後は、接続が正常に完了したときに番組情報提供サーバから取得した番組情報をスケジュールデータに追加して記憶する。
【００２０】
スケジュールデータとともに指定地域の指定時間の番組情報をデータ記憶部１４に記憶した後は、主制御部１１が実行するＥＰＧプログラムによって、表示処理が行われる。図３は、実施形態におけるＥＰＧ表示処理のフローチャートである。この処理は、入力装置２０からユーザのＥＰＧ表示要求の指令が入力されたときに実行される。まず、現在時刻を取得して表示を開始する時刻を決定する（ステップＳ２０１）。次に、データ記憶部１４に記憶されている放送波のＥＩＴ（Eventinformation Table）すなわち番組の名称、放送日時、内容の説明など番組に関する情報から、現在の視聴地域の蓄積した番組情報データを読み出し（ステップＳ２０２）、スケジュールデータを読み出す（ステップＳ２０３）。そして、そのスケジュールデータに表示領域内の時間帯に該当するデータおよび番組情報が存在するか否かを判別する（ステップＳ２０４）。
【００２１】
該当するデータが存在し、かつ、ネットワークから取得した番組情報が存在する場合には、現在の視聴地域の番組情報とネットワークから取得した番組情報を合成する処理を行う（ステップＳ２０５）。この合成処理の後、その合成した番組情報の表示データを作成する処理を行って（ステップＳ２０６）、ネットワークから取得した番組情報すなわちスケジュールデータとリンクした番組情報と現在の視聴地域の番組情報との表示処理を行う（ステップＳ２０７）。ステップＳ２０４において該当するデータが存在しない場合には、ステップＳ２０６において現在の視聴地域の番組情報の表示データを作成する処理を行って、ステップＳ２０７において番組情報との表示処理を行う。
【００２２】
図４は、実施形態におけるスケジュール登録画面を示す図である。この図に示すように、登録するスケジュールデータは、日付データ、時刻データ、および内容データの項目の他に、場所データの項目がある。場所データの入力の際には、図４の例のように地域名を入力してもよいし、郵便番号や市外電話番号を入力してもよい。さらに、サブ画面で地図を表示して、地図上で地域を選択することも可能である。場所データを入力することにより、ネットワークを介して接続した番組情報提供サーバから、異動先の地域の番組情報を前もって取得することができる。
【００２３】
図５は、実施形態におけるＥＰＧの表示例を示す図である。図５（Ａ）は現在の視聴地域のＥＰＧを示し、図５（Ｂ）は移動先の地域のＥＰＧを示している。図５において、太枠の画像はカーソルであり、入力装置２０の方向キーの操作に応じて移動する。また、スケジュールデータを登録した場合には、そのスケジュールデータにリンクしたＥＰＧの時間帯の表示色が変化する。図５の例では点線枠３０１、３０２の表示色が変化する。図４に示したように、１３時から１６時までは移動先のスケジュールになっているので、図５（Ａ）に示したＥＰＧにおいて１１時から１３時までの範囲に位置しているカーソルが１３時から１４時までの範囲に移動されると、図５（Ｂ）に示したＥＰＧの表示に切り換える。
【００２４】
以上のように、この実施形態によれば、主制御部１１は、入力装置２０から入力された地域のデータ、期間のデータ、および放送番組の番組案内情報の要求指令をネットワークから送信し、当該地域および期間における番組案内情報をネットワークから受信して、受信した番組案内情報を表示部７に表示する。
したがって、移動することを前提として、前もって移動先のＥＰＧを受信することができる。
【００２５】
図６は、実施形態の変形例１におけるＥＰＧを表示した図である。図６（Ａ）は現在の視聴地域のＥＰＧを示し、図６（Ｂ）は移動先の地域のＥＰＧを示している。この変形例１の場合には、現在の視聴地域の番組案内情報と移動先の番組案内情報とを一定時間（例えば２秒程度）ごとに切り換えて表示部７に交互に表示する。
この変形例１においても、移動することを前提として、前もって移動先のＥＰＧを受信することができる。
なお、上記実施形態における図５および変形例１の図６では、スケジュールの切り替わり目（図５、図６では１３時）に番組の表示区切りを強制的に一致させたため一部の情報が隠れた。しかし、ユーザによっては番組の表示区切りが左側の時間表示とずれたことに違和感を覚えるおそれもある。そこで、画面に表示変更用のアイコンを表示して、番組の表示区切りを移動する様子を表示してもよい。図７は、実施形態の変形例２におけるＥＰＧを表示した図であり、番組の表示区切りにアイコンを表示する。そして、図７（Ｂ）のように、アイコンをクリックすることにより、左側の時間帯を超えた範囲の番組情報を表示させることが可能になる。
【００２６】
図８は、実施形態の変形例３におけるＥＰＧの表示例を示す図である。この変形例３の場合には、スケジュールデータにリンクする番組情報を表示部７に同時に表示する。
したがって、この変形例１においても、移動することを前提として、前もって移動先のＥＰＧを受信することができるとともに、スケジュールと番組情報との関係を容易に把握することができる。
【００２７】
なお、上記実施形態および変形例においては、スケジュールデータをテレビ受信装置に直接入力する構成にしたが、外部の機器で制作したスケジュールデータをテレビ受信装置に取り込んで使用する構成も可能である。
また、上記実施形態および変形例においては、地上波デジタル放送を受信する可搬型のテレビ受信装置を例にとって本発明による番組情報受信装置を説明したが、本発明による番組情報受信装置としては携帯電話装置でもよいし、据え置き型のテレビ受信装置でもよい。あるいは、テレビ放送の受信機能を具備していなくても、現在位置以外の地域における放送予定を把握できればよいので、インターネットなどのネットワークからＥＰＧを受信できる情報端末にも本発明を適用することができる。
【００２８】
また、上記各実施形態においては、プログラム記憶部１２にあらかじめ記憶されているプログラムを主制御部１１が実行する番組情報受信装置の発明、すなわち物の発明について説明したが、外部記憶媒体のプログラムやネットワークからダウンロードしたプログラムをプログラム記憶部１２にインストールして主制御部１１が実行する構成も可能である。この場合には、プログラムの発明およびプログラムを記憶した記憶媒体の発明を構成することができる。
【００２９】
すなわち、本発明のプログラムは、
操作手段から入力される指令およびデータを入力するステップＡと、前記ステップＡによって入力された地域のデータ、期間のデータ、および放送番組の番組案内情報の要求指令をネットワークから送信し、当該地域および期間における番組案内情報を前記ネットワークから受信するステップＢと、前記ステップＢによって受信された番組案内情報を表示手段に表示するステップＣと、をコンピュータに実行させる。
【００３０】
前記ステップＣは、前記ステップＡの入力に係る地域および期間における番組案内情報と現在位置における番組案内情報とを前記表示手段に表示することを特徴とする。
前記ステップＣは、地域および期間における番組案内情報と現在位置における番組案内情報とを一定時間ごとに切り換えて前記表示手段に交互に表示することを特徴とする。
前記ステップＣは、前記ステップＡから地域および日時のスケジュールデータが入力された場合には、当該スケジュールデータとともに当該スケジュールデータにリンクする番組案内情報を前記表示手段に同時に表示することを特徴とする。
【図面の簡単な説明】
【００３１】
【図１】本発明の実施形態における可搬型のテレビ受信装置のブロック図。
【図２】実施形態におけるスケジュールデータの登録処理のフローチャート。
【図３】実施形態におけるＥＰＧ表示処理のフローチャート。
【図４】スケジュールデータの登録画面を示す図。
【図５】実施形態におけるＥＰＧの表示画面の例を示す図。
【図６】実施形態の変形例１におけるＥＰＧの表示画面の例を示す図。
【図７】実施形態の変形例２におけるＥＰＧの表示画面の例を示す図。
【図８】実施形態の変形例３におけるＥＰＧの表示画面の例を示す図。
【符号の説明】
【００３２】
１  チューナ部
２  復調部
３  ＴＳデコーダ部
４  映像デコーダ部
５  音声デコーダ部
６  表示制御部
７  表示部
８  音声制御部
９  音声入出力装置
１０  ＳＴＣ部
１１  主制御部
１２  プログラム記憶部
１３  ＷＯＲＫ用ＲＡＭ
１４  データ記憶部
１５  外部入出力Ｉ／Ｆ
１６  リモコン受信部
１７  入力制御部
１８  ＩＣカードＩ／Ｆ
１９  ネットワークＩ／Ｆ
２０  入力装置
【図１】
2006345127.tif 000003
【図２】
2006345127.tif 000004
【図３】
2006345127.tif 000005
【図４】
2006345127.tif 000006
【図５】
2006345127.tif 000007
【図６】
2006345127.tif 000008
【図７】
2006345127.tif 000009
【図８】
2006345127.tif 000010